(57)【要約】【課題】家族に負担をかけることなく安心して高齢者を見守りつつ、防犯性を高めることを可能とする見守りシステムを提供することである。【解決手段】施設４ａの空間領域１２内で居住する高齢者８に設けられたＩＣタグ部１６と、空間領域１２の出入口に設けられ、人感センサー１８の検知結果に基づいて開閉する開閉ドア部２２と、開閉ドア部２２から出力される開閉情報に基づいて高齢者８の監視を行うＩｏＴ端末制御部１１と、を備え、開閉ドア部２２は、ＩＣタグ部１６の存在が検知された場合にのみ開閉することを特徴とする。【選択図】図２
2019020948.tif 000002
【特許請求の範囲】
【請求項１】
所定の区画領域内で居住するユーザに設けられたＩＣタグ部と、
所定の区画領域の出入口に設けられ、人感センサーの検知結果に基づいて開閉する開閉ドア部と、
前記開閉ドア部から出力される開閉情報に基づいて前記ユーザの監視を行うＩｏＴ端末制御部と、
を備え、
前記開閉ドア部は、前記ＩＣタグ部の存在が検知された場合にのみ開閉することを特徴とする見守りシステム。
【請求項２】
請求項１に記載の見守りシステムにおいて、
前記人感センサーは、前記開閉ドア部のドアノブに前記ユーザの手が触れた際にのみ作動することを特徴とする見守りシステム。
【請求項３】
請求項１または請求項２に記載の見守りシステムにおいて、
前記所定の区画領域内で居住する前記ユーザの生体情報を検出する生体情報検知部を備え、
前記ＩｏＴ端末制御部は、前記生体情報検知部から出力される前記生体情報に基づいて前記ユーザの健康状態を監視し、前記ユーザの健康状態が異常であると判断した場合に通報することを特徴とする見守りシステム。
【請求項４】
請求項３に記載の見守りシステムにおいて、
前記ＩｏＴ端末制御部は、前記ＩＣタグ部、前記開閉ドア部及び前記生体情報検知部の設定値を変更可能な入力部を有することを特徴とする見守りシステム。
【発明の詳細な説明】
【技術分野】
【０００１】
本発明は、見守りシステムに関する。
【背景技術】
【０００２】
高齢化社会を迎え、介護の問題や独居老人の孤独死が社会問題になりつつある。身内の介護をするために介護離職をする人が増えており、一旦離職した後の職場復帰が困難であるといった状況や介護疲れが問題となっている。また、独居老人の孤独死をいかに防ぐかについても課題となっている。
【０００３】
本発明に関連する技術として、例えば、特許文献１には、呼出しボタンが設けられ、支援を求める支援対象者が呼出しボタンを操作した時に呼出し信号を送信する無線式呼出しボタン送信機と、無線式呼出しボタン送信機からの呼出し信号を受信して、呼出し信号に基づいた呼出しメールを支援対象者に対して予め設定された支援者のメール受信機に送信させるためのメール情報を送信するメール送信機と、を有し、支援対象者が呼出しボタンを操作することにより、メール送信機を通じて支援者のメール受信機に、呼出しメールが送信されるメール送信システムが開示されている。
【先行技術文献】
【特許文献】
【０００４】
【特許文献１】特開２０１５−９０５７３号公報
【発明の概要】
【発明が解決しようとする課題】
【０００５】
高齢者が一人暮らしをしている場合に、例えば、認知症などの影響により徘徊してしまう虞があるため、高齢者が住居のドアを開閉した履歴を見ながら高齢者の行動を把握しておくこと望ましい。この際、防犯の観点からセキュリティを高めることが求められる。
【０００６】
本発明の目的は、家族に負担をかけることなく安心して高齢者を見守りつつ、防犯性を高めることを可能とする見守りシステムを提供することである。
【課題を解決するための手段】
【０００７】
本発明に係る見守りシステムは、所定の区画領域内で居住するユーザに設けられたＩＣタグ部と、所定の区画領域の出入口に設けられ、人感センサーの検知結果に基づいて開閉する開閉ドア部と、前記開閉ドア部から出力される開閉情報に基づいて前記ユーザの監視を行うＩｏＴ端末制御部と、を備え、前記開閉ドア部は、前記ＩＣタグ部の存在が検知された場合にのみ開閉することを特徴とする。
【０００８】
また、本発明に係る見守りシステムにおいて、前記人感センサーは、前記開閉ドア部のドアノブに前記ユーザの手が触れた際にのみ作動することが好ましい。
【０００９】
また、本発明に係る見守りシステムにおいて、前記所定の区画領域内で居住する前記ユーザの生体情報を検出する生体情報検知部を備え、前記ＩｏＴ端末制御部は、前記生体情報検知部から出力される前記生体情報に基づいて前記ユーザの健康状態を監視し、前記ユーザの健康状態が異常であると判断した場合に通報することが好ましい。
【００１０】
また、本発明に係る見守りシステムにおいて、前記ＩｏＴ端末制御部は、前記ＩＣタグ部、前記開閉ドア部及び前記生体情報検知部の設定値を変更可能な入力部を有することが好ましい。
【発明の効果】
【００１１】
本発明によれば、人感センサーにユーザが検知されるだけでなく、ユーザに設けられたＩＣタグ部が検知されて開閉ドア部が開閉されるとともに開閉情報がＩｏＴ端末制御部に伝送される。これにより、家族に負担をかけることなく安心して高齢者を見守りつつ、防犯性を高めることができる。
【図面の簡単な説明】
【００１２】
【図１】本発明に係る実施形態の見守りシステムを示す図である。
【図２】本発明に係る実施形態の見守りシステムにおける監視対象の１つの施設を示す図である。
【図３】本発明に係る実施形態の見守りシステムにおける監視対象の施設の開閉ドアを開閉する手順を示すフローチャートである。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、見守りシステム１０を示す図である。図２は、見守りシステム１０における監視対象の１つの施設４ａを示す図である。図３は、見守りシステム１０における監視対象の施設４ａの開閉ドア部２２を開閉する手順を示すフローチャートである。
【００１５】
見守りシステム１０は、複数の施設４ａ，４ｂ，４ｃ，４ｄに居住する高齢者などを見守るシステムである。見守りシステム１０は、複数の施設４ａ〜４ｄからの情報を蓄積するクラウドサーバ２と、クラウドサーバ２との間でデータなどのやり取りを行うＩｏＴ端末制御部１１と、スマートフォンやタブレットなどの携帯端末６とを備えている。
【００１６】
クラウドサーバ２は、クラウド上に構築されたサーバを意味している。クラウド上に構築されたサーバとしてのクラウドサーバ２は、インターネットを通じてサーバの機能を利用することができる。
【００１７】
施設４ａは、一般家庭の一戸建て住宅である。施設４ｂは、老人ホームなどの介護施設である。施設４ｃは、高齢者の一人暮らしなどが可能であるマンションである。施設４ｄは、女性専用マンションや学生マンションなどである。ここでは、複数の施設４ａ〜４ｄは、上記のような住宅施設であるものとして説明したが、もちろん、その他の住宅施設であってもよい。
【００１８】
施設４ａ〜４ｄは、高齢者などが居住する空間を有し、空間の広さは異なるものの区画された空間領域１２と、空間領域１２に出入りするための開閉ドア部２２とを有する点は共通しているため、以下では施設４ａを例に挙げて説明し、その他の施設４ｂ〜４ｄの説明は省略する。
【００１９】
施設４ａは、高齢者８が暮らす空間領域１２を有する部屋１２ａと、部屋１２ａの出入口に設けられる開閉ドア部２２とを有している。施設４ａには、暮らしに必要なベッドなどの寝具やソファーなどの家具、ＴＶなどの家電製品などを有しているが、これらは見守りシステム１０に必ずしも必要なものではないため、ここでは不図示にしている。
【００２０】
施設４ａに居住する高齢者８は、ＩＣタグ部１６を有している。ＩＣタグ部１６は、開閉ドア部２２に設けられた検知エリア発生装置から発生された検知エリア内のみで電波を発生させるセミアクティブ型タグを有している。ＩＣタグ部１６は、高齢者８の手首付近に装着可能なブレスレット型のタグである。
【００２１】
施設４ａの空間領域１２内には、この空間領域１２で居住する高齢者８の生体情報を検出する生体情報検知部１４が設けられている。ここでは、生体情報検知部１４は、部屋１２ａの天井部に設けられるものとして説明するが、もちろん、その他の場所に設置されてもよい。
【００２２】
生体情報検知部１４は、非接触で高齢者８の脈拍、呼吸、体動の生体情報（バイタル値）をセンシングするマイクロ波ドップラー方式のセンサーを備える。生体情報検知部１４は、マイクロ波で読み取った身体データから高齢者８の身体状況を即時に検知し、クラウドサーバ２に蓄積される。
【００２３】
開閉ドア部２２は、空間領域１２を含む部屋１２ａの出入口に設けられている扉である。開閉ドア部２２は、ドアノブ２０を操作することで開閉することができるが、セキュリティ確保の観点から鍵穴を設けずにＩＣタグ部１６のみで開閉を行う電磁ロック機構を有している。開閉ドア部２２の開閉情報は、クラウドサーバ２に蓄積される。
【００２４】
開閉ドア部２２の上方には、空間領域１２を含む部屋の出入口付近を検知範囲とする人感センサー１８が設けられている。人感センサー１８は、赤外線や超音波などを用いて人の存在を検知する装置である。人感センサー１８は、常時検知している状態ではなく、高齢者８が開閉ドア部２２のドアノブ２０を触ったときのみに作動するように設定することが好適である。なお、人感センサー１８による検知情報は、クラウドサーバ２に蓄積される。
【００２５】
ＩｏＴ端末制御部１１は、開閉ドア部２２から出力される開閉情報に基づいて高齢者８の監視を行う機能を有する。また、ＩｏＴ端末制御部１１は、生体情報検知部１４から出力される生体情報に基づいて高齢者８の健康状態を監視し、高齢者８の健康状態が異常であると判断した場合に高齢者８の家族などに通報する。
【００２６】
ＩｏＴ端末制御部１１は、ＩＣタグ部１６、開閉ドア部２２及び生体情報検知部２４の設定値を変更可能な入力部を有する。また、ＩｏＴ端末制御部１１にモニタを接続することで、バイタル値を映像で確認することができる。
【００２７】
続いて、上記構成の見守りシステム１０の作用について説明する。施設４ａの開閉ドア部２２の付近において、人感センサー１８が高齢者８を検知したか否かが判断される（Ｓ２）。
【００２８】
Ｓ２の工程において、人感センサー１８が高齢者８の存在を検知しない場合には再びＳ２の工程へと戻る。Ｓ２の工程において、人感センサー１８が高齢者８の存在を検知した場合には、ＩＣタグ部１６の有無が判断される（Ｓ４）。
【００２９】
Ｓ４の工程において、ＩＣタグ部１６が存在しないと判断された場合には、再びＳ２の工程へと戻る。Ｓ４の工程において、ＩＣタグ部１６が存在すると判断された場合には、開閉ドア部２２の電磁ロック機構を開錠する（Ｓ６）。これにより、高齢者８は開閉ドア部２２を開くことが可能となり、開いて出入りした後に開閉ドア部２２が閉じられると自動的に電磁ロック機構を施錠する。
【００３０】
このように、見守りシステム１０によれば、人感センサー１８に高齢者８が検知されるだけでなく、高齢者８に設けられたＩＣタグ部１６が検知された場合に開閉ドア部２２が開閉される。さらに、開閉ドア部２２は鍵穴が存在しない電磁ロック機構が採用されているため防犯性を高めることができる。
【００３１】
また、高齢者８がドアノブ２０に触った場合のみに人感センサー１８が作動するようにすることで、高齢者８が部屋１２ａに出入りする意思はない状態で開閉ドア部２２に近づいた場合であっても誤動作することを防止することができる。
【００３２】
さらに、高齢者８が開閉ドア部２２を開いて動作する開閉情報がクラウドサーバ２に蓄積されているため、高齢者８の日々の行動を分析することが出来る。例えば、１日に６０回出入りしていた高齢者８が半分の３０回に減少した場合、回数の変化から高齢者８の体調変化の可能性があるとして、ＩｏＴ端末制御部１１から高齢者８の家族の携帯端末６に通報することができる。
【００３３】
また、高齢者８が認知症などの症状がある場合には、徘徊の可能性があるとして、開閉ドア部２２を開いて外出しようとした場合に、ＩｏＴ端末制御部１１から高齢者８の家族の携帯端末６に通報することができる。また、この場合に、予め開閉ドア部２２を開錠しない状態に設定しておくことで、徘徊を未然防止することもできる。
【００３４】
そして、見守りシステム１０によれば、生体情報検知部１４により高齢者８の脈拍、呼吸、体動の生体情報（バイタル値）がクラウドサーバ２に蓄積される。これにより、例えば、高齢者８の健康状態が悪化し、バイタル値が予め定められた値以下となった場合には、高齢者８の体調変化の可能性があるとして、ＩｏＴ端末制御部１１から高齢者８の家族の携帯端末６に通報することができる。
【００３５】
なお、上記ＩｏＴ端末制御部１１から高齢者８の家族の携帯端末６への通報に代えて、見守りシステム１０を運営する事業者（例えば、特定非営利活動法人で高齢者８などを見守り活動を行う法人等）などに通報してもよい。この事業者が家族の代わりに対応することにより、家族は仕事、家事、学業に安心して専念することができる。これにより、例えば、介護離職を防止することができる利点がある。また、通報先を例えば、近隣の民生委員などに設定して連携を図ることで安心地域社会を構築することができる。
【００３６】
また、見守りシステム１０は、２４時間システムが作動しているため、高齢者８の家族は安心して夜間も体を休めることができる。さらに、火災報知器が火災を検知した場合に開閉ドア部２２を自動開錠することで安全の確保を図ることができる。
【００３７】
高齢者８が万一、ＩＣタグ部１６を紛失したとしても、ＩｏＴ端末制御部１１の入力部を用いて紛失したＩＣタグ部１６の登録を抹消することで、紛失したＩＣタグ部１６の不正利用を防止することができる。
【００３８】
開閉ドア部２２の付近にカメラを設置することで、高齢者８の行動が確認できるとともに不審者の確認もすることができる。このカメラによる映像は動画であってもよいが、複数枚の静止画を連続撮影することでデータを軽くすることもできる。
【００３９】
また、見守りシステム１０によれば、高齢者８などのバイタル値をクラウドサーバ２に蓄積しているため、各データを分析することで将来的な医療の発展に貢献することができる。例えば、２４時間中の睡眠時間や離床時間、睡眠時の呼吸の低下の状況、脈の変化などのデータを年齢、性別、体重などとの相関関係を分析してグラフ化等にすることもできる。
【００４０】
ここでは、施設４ａを例に挙げて説明したが、一戸建て住宅以外の集合住宅や介護施設の場合には、各戸の出入口だけでなく、施設の入り口に設置することで、不審者の侵入を防止することも出来る。
【００４１】
また、ＩＣタグ部１６は、ここでは高齢者８の手首に装着するものとして説明したが、この際、血圧、体温、心拍、発汗量、ストレス状態などの生体情報を管理する生体情報検知機能を設けても良く、ＧＰＳ機能を搭載してもよい。
【符号の説明】
【００４２】
４ａ，４ｂ，４ｃ，４ｄ  施設、６  携帯端末、８  高齢者、１０  見守りシステム、１１  ＩｏＴ端末制御部、１２  空間領域、１２ａ  部屋、１４  生体情報検知部、１６  タグ部、１８  人感センサー、２０  ドアノブ、２２  開閉ドア部。
【図１】
2019020948.tif 000003
【図２】
2019020948.tif 000004
【図３】
2019020948.tif 000005